(57)【特許請求の範囲】
【請求項１】
木造建築物の土台、柱、梁から成る骨組と、前記骨組の内側面に連なって幅方向のほぼ中心に形成された保持溝と、前記保持溝の底部間の距離に対して幅寸法が小さくなるように設定され、前記保持溝に差し込まれて保持される板材を有する木造建築物の壁構造において、前記板材は耐力壁を構成する構造用材であり、しかも内面が内装を構成するもので、前記板材の外面から前記保持溝の内面に雄ネジが傾斜姿勢でねじ込まれて、前記板材の内面が前記保持溝の内面に圧接させられていることを特徴とする木造建築物の壁構造。
【請求項２】
請求項１に記載した木造建築物の壁構造において、板材には雄ネジを挿入するための下孔が形成されていることを特徴とする木造建築物の壁構造。
【請求項３】
請求項１または２に記載した木造建築物の壁構造において、板材は連設されて複数配置され、前記板材の端面どうしが接合しており、且つ前記端面どうしが連結材を介して連結されていることを特徴とする木造建築物の壁構造。
【請求項４】
請求項１から３のいずれかに記載した木造建築物の壁構造において、板材は無垢材を、その繊維方向が互い違いになるように複数枚重ね合わせて接着したものであることを特徴とする木造建築物の壁構造。
【請求項５】
請求項１から４のいずれかの木造建築物の壁構造を構築する方法において、木造建築物の土台、柱、梁等の骨組に互いに対向して形成された保持溝に差し込まれて保持される板材を有する木造建築物の壁構造において、前記板材は耐力壁を構成する構造用材であり、しかも内面が内装を構成するもので、前記板材の外面から前記保持溝の内面に雄ネジを傾斜姿勢でねじ込み、前記板材の内面を前記保持溝の内面に圧接させることを特徴とする木造建築物の壁構造を構築する方法。
【発明の詳細な説明】
【技術分野】
【０００１】
本発明は木造建築物の壁構造、当該木造建築物の壁構造の構築方法に係り、特に板材が耐力壁を構成する構造用材であり、その内面が内装を構成する木造建築物の壁構造、当該木造建築物の壁構造の構築方法に関するものである。
【背景技術】
【０００２】
木造建築物においては土台、柱、梁から成る骨組に構造用合板を打ち付けて耐力壁を構成し、この構造用合板に重ねて内装を施工する。すなわち、特許文献１に示されているように構造用合板と内装材は別部材によって構成されている。
ところで、板材には３枚の無垢材を、その繊維方向が互い違いになるように重ね合わせて接着した無垢材積層板など、構造用合板と内装材を兼ねることができるものがある。
この板材を骨組に保持させる方法として、柱の互いに対向する部分に上下方向へ延びる保持溝を形成し、この保持溝に板材を差し込んで保持する構法（以下、落し込み構法という。）がある。この落し込み構法では板材が構造用合板と内装材を兼ねるように用いられるため、板材を骨組に対し強固に固定すると共に、内側（部屋内）から見て板材と保持溝の内側面との間に隙間がないように施工する必要がある。
【先行技術文献】
【特許文献】
【０００３】
【特許文献１】特開２０１４−１７３３３１号公報
【発明の概要】
【発明が解決しようとする課題】
【０００４】
しかしながら、落し込み構法において板材を保持溝に差し込むためには、板材と保持溝の内側面との間に多少の隙間を必要とする。従って、板材を保持溝に差し込んだだけでは、板材と保持溝の内側面との間に隙間ができる状態に仕上がってしまい内装の外観が損なわれるという問題がある。
本発明は上記従来の問題点に着目して為されたものであり、落し込み構法において、板材と骨組とを強固に連結できると共に、板材と保持溝の内側面との間に隙間がない状態に仕上ることができ良好な内装の外観を得ることが可能な木造建築物の壁構造、当該木造建築物の壁構造の構築方法の提供を、その目的とする。
【課題を解決するための手段】
【０００５】
本発明は上記課題を解決するためになされたものであり、請求項１の発明は、木造建築物の土台、柱、梁から成る骨組と、前記骨組の内側面に連なって幅方向のほぼ中心に形成された保持溝と、前記保持溝の底部間の距離に対して幅寸法が小さくなるように設定され、前記保持溝に差し込まれて保持される板材を有する木造建築物の壁構造において、前記板材は耐力壁を構成する構造用材であり、しかも内面が内装を構成するもので、前記板材の外面から前記保持溝の内面に雄ネジが傾斜姿勢でねじ込まれて、前記板材の内面が前記保持溝の内面に圧接させられていることを特徴とする木造建築物の壁構造である。
【０００６】
請求項２の発明は、請求項１に記載した木造建築物の壁構造において、板材には雄ネジを挿入するための下孔が形成されていることを特徴とする木造建築物の壁構造である。
【０００７】
請求項３の発明は、請求項１または２に記載した木造建築物の壁構造において、板材は連設されて複数配置され、前記板材の端面どうしが接合しており、且つ前記端面どうしが連結材を介して連結されていることを特徴とする木造建築物の壁構造である。
【０００８】
請求項４の発明は、請求項１から３のいずれかに記載した木造建築物の壁構造において、板材は無垢材を、その繊維方向が互い違いになるように複数枚重ね合わせて接着したものであることを特徴とする木造建築物の壁構造である。
【０００９】
請求項５の発明は、請求項１から４のいずれかの木造建築物の壁構造を構築する方法において、木造建築物の土台、柱、梁等の骨組に互いに対向して形成された保持溝に差し込まれて保持される板材を有する木造建築物の壁構造において、前記板材は耐力壁を構成する構造用材であり、しかも内面が内装を構成するもので、前記板材の外面から前記保持溝の内面に雄ネジを傾斜姿勢でねじ込み、前記板材の内面を前記保持溝の内面に圧接させることを特徴とする木造建築物の壁構造を構築する方法である。
【発明の効果】
【００１０】
本発明の木造建築物の壁構造、当該木造建築物の壁構造を構築する方法では、板材と骨組とを強固に連結できると共に、板材と保持溝の内側面との間に隙間がない状態に仕上ることができ良好な内装の外観を得ることが可能となる。しかも、木造建築物の壁構造を構築するための作業も比較的簡単である。
【図面の簡単な説明】
【００１１】
【図１】本発明の実施の形態に係る木造建築物の壁構造の斜視図である。
【図２】図１の木造建築物の壁構造の構築方法を説明するための斜視図である。
【図３】図１の木造建築物の壁構造の背面図である。
【図４】図１の木造建築物の壁構造の柱に板材を取り付ける作業を説明するための部分平面図である。
【図５】図１の木造建築物の壁構造の柱に板材を取り付ける作業を説明するための部分平面図である。
【発明を実施するための形態】
【００１２】
本発明の実施の形態に係る木造建築物の壁構造１を図面にしたがって説明する。
符号２は骨組を示し、この骨組２は土台３、柱５及び梁９によって構成されている。
土台３の上面には左右方向へ延びる保持溝３ａが形成されている。土台３には一対の柱５が互いに間隔を開けて対向して立設されている。説明の便宜上一対の柱５を示したが、実際の建築物では左右方向へ更に多くの柱５が互いに間隔を開けて並設される。以下の説明では一対の柱５を対象とする。
柱５の互いに対向する部分には上下方向へ延びる保持溝５ａが形成されている。また、梁９の下面にも左右方向へ延びる保持溝９ａが形成されている。
【００１３】
保持溝３ａ、５ａ、９ａはいずれも各部材の幅方向のほぼ中心に形成されており、これらの保持溝３ａ、５ａ、９ａは連なっている。
保持溝３ａ、５ａ、９ａの深さ寸法は１０ｍｍ〜３５ｍｍの範囲で設定し、幅寸法は３１ｍｍ〜５０ｍｍの範囲で設定する。板材１１の厚さ寸法が３０ｍｍである場合は、保持溝３ａ、５ａ、９ａの深さ寸法は２０ｍｍ、幅寸法は３３ｍｍが推奨される。
【００１４】
また、互いに対向する柱５の保持溝５ａの底面間の距離に対し板材１１の幅寸法は１ｍｍ〜１０ｍｍ小さくなるように設定し、６ｍｍ小さくすることが推奨される。このように保持溝５ａの底面間の距離に対し板材１１の幅寸法を設定することで、板材１１を保持溝５ａにスムーズに差し込むことができる。
【００１５】
符号１１は板材を示し、この板材１１は３枚の無垢材を、その繊維方向が互い違いになるように重ね合わせて接着した無垢材積層板である。従って、板材１１はいずれの方向に対しても高い剛性を有している。また、後述するように板材１１の内装を構成する内面１１ａ側には美しい木目をもつ無垢材が使用されている。
図３に示すように板材１１の縁部には等間隔を開けて下孔１３が形成されている。この下孔１３は板材１１の外面１１ｂの端部から内面１１ａの角部近傍へ貫通するように傾斜している。
【００１６】
図２に示すように、柱５の保持溝５ａには上下方向へ３枚の板材１１が保持されるが、最下段の板材１１の上端面にはダボ穴１１ｃが形成され、真中の段の板材１１の上下の端面にはダボ穴１１ｃが形成されており、更に最上段の板材１１の下端面にはダボ穴１１ｃが形成されている。これらのダボ穴１１ｃは複数形成され互いに等間隔に配置されている。ダボ穴１１ｃには後述するように連結材としてのダボ１５が挿入される。
【００１７】
次にこの木造建築物の壁構造１の構築方法を説明する。
図２に示すように板材１１を一対の保持溝５ａに上方から差し込み、そのまま下降させて板材１１の下端部を土台３の保持溝３ａに差し込む。最下段の板材１１の上端面のダボ穴１１ｃにはダボ１５の下半部を差し込んで嵌合させ固定しておく。ダボ１５の上半部はダボ穴１１ｃから突出した状態となっている。
更に板材１１を保持溝５ａに差し込んで下降させ、この板材１１の下端面に形成されたダボ穴１１ｃに下段の板材１１の上端面から突出するダボ１５を差し込む（図３参照）。中段の板材１１の下端面に形成されたダボ穴１１ｃと下段の板材１１の上端面から突出するダボ１５も嵌合させて固定する。
【００１８】
上記と同様にして、最上段の板材１１を保持溝５ａに差し込み、この板材１１の下端面に形成されたダボ穴１１ｃに中段の板材１１の上端面から突出するダボ１５を差し込む。この場合もダボ穴１１ｃとダボ１５とを嵌合させて固定する。
これより、下段、中段、上段の板材１１の端面どうしが接合して、ぴったり合わさる状態となる。
【００１９】
そして、図４に示すように板材１１の左端部の下孔１３に外面１１ｂから雄ネジ１７を挿入して、図５に示すように柱５の保持溝５ａの内面５ｂに傾斜姿勢でねじ込む。これにより、板材１１の内面１１ａが保持溝５ａの内面５ｂに圧接させられる。
これと同様に板材１１の左右の端部に形成されたすべての下孔１３にそれぞれ雄ネジ１７を差し込み、保持溝５ａの内面５ｂに傾斜姿勢でねじ込む。従って、雄ネジ１７は上下方向に複数個配置されることになる。
【００２０】
また、板材１１を土台３の保持溝３ａと梁９の保持溝９ａに雄ネジ１７によって固定する作業は、図４〜図５に示した板材１１を柱５の保持溝５ａに雄ネジ１７によって固定する作業と同様であるので、図４〜図５の括弧内に土台３、梁９に関する符号を記載して説明に用いるものとする。
板材１１の外面１１ｂの下端部の下孔１３に外面１１ｂから雄ネジ１７を挿入して、土台３の保持溝３ａの内面３ｂに傾斜姿勢でねじ込む。
そして、柱５の上端面に梁９を備えて、板材１１の外面１１ｂの上端部の下孔１３に外面１１ｂから雄ネジ１７を挿入して、梁９の保持溝９ａの内面９ｂに傾斜姿勢でねじ込む。
板材１１の内面１１ａが土台３の保持溝３ａの内面３ｂに圧接させられ、板材１１の内面１１ａが梁９の保持溝９ａの内面９ｂに圧接させられる。
【００２１】
このように、板材１１と保持溝３ａ、５ａ、９ａの内側面３ｂ、５ｂ、９ｂとの間に隙間がない状態に仕上ることができ、しかも内面１１ａ側には雄ネジ１７は一切露出しないので、良好な内装の外観を得ることが可能となる。
しかも、板材１１は保持溝５ａ、更に保持溝３ａ、９ａに保持されて、雄ネジ１７によって柱５、土台３及び梁９に強固に連結されるので、板材１１と骨組２が一体構造となる。従って、頑丈な壁構造を得ることが可能となる。因みに４倍〜５倍の壁倍率を得ることができると想定される。これにより、建築物の壁が比較的少なくても高い耐震性を得ることが可能となり、間取りやデザインの自由度を向上させることができるようになる。
【００２２】
更に、板材１１どうしがダボ１５を介して連結されることで、板材１１の水平方向のずれを確実に防止することができる。
また、木造建築物の壁構造１を構築するための作業も比較的簡単である。すなわち、本発明では、木製の受け材や接ぎ材等の補助材を使用することなく、強固な木造建築物の壁構造を構築することができるので、構築の手間を軽減でき、作業効率を大幅に向上させることができる。
なお、本木造建築物の壁構造１では補助材を使用していないので、板材１１の外面側に突起物がなく、断熱材や配線等の設置を容易に行うことができる。
【００２３】
以上、本発明の実施の形態について詳述してきたが、具体的構成は、この実施の形態に限られるものではなく、本発明の要旨を逸脱しない範囲における設計の変更などがあっても発明に含まれる。
例えば、上記実施例ではダボを用いて板材どうしを上下方向において連結したが、本発明はこれに限定されず、ダボを用いない構成としてもよい。
また、板材を上下方向に三段連ねる構成としたが、本発明はこれに限定されず、三段より少なく、または多い段としてもよい。
上記実施の形態では板材として無垢材積層板を用いたが、本発明はこれに限定されず、合板、パーティクルボード等を使用してもよい。
【産業上の利用可能性】
【００２４】
本発明の木造建築物の壁構造は、建築業において利用可能性を有し、板材と骨組とを強固に連結できると共に、板材と保持溝の内側面との間に隙間がない状態に仕上ることができ良好な内装の外観を得ることができる。
【符号の説明】
【００２５】
１…木造建築物の壁構造            ２…骨組
３…土台                          ３ａ…土台の保持溝
３ｂ…土台の保持溝の内面          ５…柱
５ａ…柱の保持溝                  ５ｂ…柱の保持溝の内面
９…梁                            ９ａ…梁の保持溝
９ｂ…梁の保持溝の内面          １１…板材
１１ａ…板材の内面                １１ｂ…板材の外面
１１ｃ…ダボ穴                    １３…下孔
１５…ダボ                        １７…雄ネジ
【図１】
0006570057.tif 000002
【図２】
0006570057.tif 000003
【図３】
0006570057.tif 000004
【図４】
0006570057.tif 000005
【図５】
0006570057.tif 000006